(57)【要約】【課題】液体吐出ヘッドから吐出する液体のミストの飛散を抑制すること。【解決手段】液体吐出ヘッドとしての記録ヘッド１１と共に記録媒体１３と相対移動する吹出し孔７から、記録媒体１３上に向かって空気を吹出す。記録ヘッド１１と共に記録媒体１３と相対移動する吸込み孔８から、記録媒体１３上の空気を吸込む。記録ヘッド１１を基準としたときの記録媒体１３の移動方向の上流側から下流側に向かって、記録ヘッド１１におけるインクの吐出口、吹出し孔７、および吸込み孔８が順次位置する。【選択図】図５
2015193219.tif 000002
【特許請求の範囲】
【請求項１】
１．  吐出口から液体を吐出可能な液体吐出ヘッドと媒体との相対移動を伴って、前記媒体に液体を吐出する液体吐出装置において、
前記媒体上に向かって気体を吹出す吹出し孔を備え、前記液体吐出ヘッドと共に前記媒体と相対移動する吹出し手段と、
前記媒体上の気体を吸込む吸込み孔を備え、前記液体吐出ヘッドと共に前記媒体と相対移動する吸込み手段と、
を備え、
前記液体吐出ヘッドを基準としたときの前記媒体の移動方向の上流側から下流側に向かって、前記吐出口、前記吹出し孔、および前記吸込み孔が順次位置することを特徴とする液体吐出装置。
【請求項２】
前記吹出し孔からの気体の単位時間当たり吹出し量は、前記吸込み孔からの気体の単位時間当たりの吸込み量よりも多いことを特徴とする請求項１に記載の液体吐出装置。
【請求項３】
前記吹出し孔からの気体の吹出し速度は、５ｍ／秒以下であることを特徴とする請求項１または２に記載の液体吐出装置。
【請求項４】
前記媒体の下側に位置し、かつ前記媒体の移動方向において前記吹出し孔と前記吸込み孔との間に位置して、電圧が印加される電極を備えたことを特徴とする請求項１から３のいずれか１項に記載の液体吐出装置。
【請求項５】
前記電極に印加する電圧は４０Ｖ以下であることを特徴とする請求項４に記載の液体吐出装置。
【請求項６】
前記電極に印加する電圧は４Ｖ以下であることを特徴とする請求項４に記載の液体吐出装置。
【請求項７】
前記電極は、正電極と負電極を含むことを特徴とする請求項４に記載の液体吐出装置。
【請求項８】
前記正電極と前記負電極に印加する電圧は、＋４０Ｖと−４０Ｖとの間の範囲であることを特徴とする請求項７に記載の液体吐出装置。
【請求項９】
前記正電極と前記負電極に印加する電圧は、＋４Ｖと−４Ｖとの間の範囲であることを特徴とする請求項７に記載の液体吐出装置。
【請求項１０】
前記吹出し手段と前記吸込み手段の少なくとも一方は、交流電源と誘電体を含むプラズマアクチュエータによって気体の流れを生じさせることを特徴とする請求項１から９のいずれか１項に記載の液体吐出装置。
【請求項１１】
前記液体吐出ヘッドは前記媒体の幅に対応した長さを有していることを特徴とする請求項１から１０のいずれか１項に記載の液体吐出装置。
【請求項１２】
前記吹出し手段および前記吸込み手段は前記媒体の幅に対応した長さを有していることを特徴とする請求項１から１１のいずれか１項に記載の液体吐出装置。
【請求項１３】
媒体と相対移動を伴って、液体吐出ヘッドの吐出口から前記媒体に液体を吐出する液体吐出方法であって、
前記液体吐出ヘッドと共に前記媒体と相対移動する、前記媒体に向かって気体を吹出す吹出し孔を備える吹出し手段、および前記媒体上の気体を吸込む吸込み孔を備える吸込み手段を用意する工程と、
前記吐出口から前記媒体に向けて液体を吐出すると共に、前記吹出し孔から気体を吹出し、前記吸込み孔から、前記吹出し孔から吹出された気体を含む前記媒体上の気体を吸込む工程と、
を含み、
前記吐出口から吐出される液体は、主滴とミストとを含み、前記ミストの少なくとも一部は、前記吹出し孔から吹出された気体と共に前記媒体に向かって移動して前記媒体上に付着することを特徴とする液体吐出方法。
【請求項１４】
前記媒体に対して垂直方向から見て、前記ミストは、前記相対移動の方向に関して前記液体吐出ヘッドと前記吸込み手段との間の前記媒体上に付着することを特徴とする請求項１３に記載の液体吐出方法。
【請求項１５】
前記吹出し孔からの気体の単位時間当たり吹出し量は、前記吸込み孔からの気体の単位時間当たりの吸込み量よりも多いことを特徴とする請求項１３または１４に記載の液体吐出方法。
【請求項１６】
前記相対移動の方向に関して、前記液体吐出ヘッド、前記吹出し手段、および前記吸込み手段は、この順に配されていることを特徴とする請求項１３から１５のいずれか１項に記載の液体吐出方法。
【請求項１７】
前記吹出し孔からの気体の吹出し速度は、５ｍ／秒以下であることを特徴とする請求項１３から１６のいずれか１項に記載の液体吐出方法。
【発明の詳細な説明】
【技術分野】
【０００１】
本発明は、液体吐出ヘッドからインク等の液体を吐出する液体吐出装置および液体吐出方法に関するものである。
【背景技術】
【０００２】
例えば、液体吐出装置としてのインクジェット記録装置は、記録ヘッド（液体吐出ヘッド）からインク（液体）を吐出する際に、記録媒体（媒体）に付着するインク滴とは別に、微小なインク滴がインクミストとして生じることがある。このようなインクミストは、記録ヘッドに付着することによってインクの吐出不良を招いたり、記録装置内を汚染するおそれがある。
【０００３】
特許文献１には、このようなインクミストを回収するために、記録ヘッドのノズルを挟むように空気の吹出し孔と吸込み孔を備える記録装置が記載されている。インクミストは、吹出し孔から吹出された空気と共に吸込み孔に吸込まれることにより、その吸込み孔から回収される。
【先行技術文献】
【特許文献】
【０００４】
【特許文献１】特開２０１０−１３７４８３号公報
【発明の概要】
【発明が解決しようとする課題】
【０００５】
しかし、特許文献１に記載の記録装置は、吹出し孔と吸込み孔との間において形成される気流がノズルの位置を横切ることになる。そのため、その気流の影響により、ノズルから吐出されて記録媒体に着弾するインク滴の着弾位置がずれて、画像の記録品位を損ねるおそれがある。一方、吹出し孔と吸込み孔との間に形成される気流の流量が少ない場合には、インクミストの回収が難しくなる。
【０００６】
本発明の目的は、液体吐出ヘッドから吐出される液体のミストの飛散を抑制することができる液体吐出装置および液体吐出方法を提供することにある。
【課題を解決するための手段】
【０００７】
本願発明の液体吐出装置は、吐出口から液体を吐出可能な液体吐出ヘッドと媒体との相対移動を伴って、前記媒体に液体を吐出する液体吐出装置において、前記媒体上に向かって気体を吹出す吹出し孔を備え、前記液体吐出ヘッドと共に前記媒体と相対移動する吹出し手段と、前記媒体上の気体を吸込む吸込み孔を備え、前記液体吐出ヘッドと共に前記媒体と相対移動する吸込み手段と、を備え、前記液体吐出ヘッドを基準としたときの前記媒体の移動方向の上流側から下流側に向かって、前記吐出口、前記吹出し孔、および前記吸込み孔が順次位置することを特徴とする。
【発明の効果】
【０００８】
本発明によれば、液体吐出ヘッドにおける液体の吐出口、気体を吹出す吹出し孔、および気体を吸込む吸込み孔の位置関係を特定することにより、液体吐出ヘッドから吐出される液体のミストを媒体に付着させて、ミストの飛散を抑えることができる。この結果、例えば、液体吐出装置としての記録装置においては、インクミストの飛散に起因する画像品位の劣化および記録装置内の汚染を抑制することができる。また、インクミストの回収、回収後のインクミストの廃却が不要となり、記録装置全体の小型化を図ることができる。
【図面の簡単な説明】
【０００９】
【図１】本発明の第１の実施形態における記録装置の概略構成図である。
【図２】図１における液体吐出ヘッド部分の説明図である。
【図３】図２の液体吐出ヘッド部分の拡大斜視図である。
【図４】インクミストと気流との関係の説明図である。
【図５】本発明の第１の実施形態におけるインクミストと気流との関係の説明図である。
【図６】本発明の第２の実施形態として、吹出し孔と吸込み孔の異なる変形例を説明するための断面図である。
【図７】本発明の第３の実施形態におけるインクミストと気流との関係の説明図である。
【図８】本発明の第４の実施形態における液体吐出ヘッドの説明図である。
【図９】本発明の第５の実施形態として、吹出し部と吸込み部の異なる構成例を説明するための概略図である。
【図１０】本発明の第５の実施形態として、吹出し部と吸込み部の異なる構成例を説明するための概略図である。
【図１１】本発明の第６の実施形態における吹出し部と吸込み部を説明するための概略図である。
【発明を実施するための形態】
【００１０】
以下、本発明の実施形態を図面に基づいて説明する。  
（第１の実施形態）
図１は、本実施形態における液体吐出装置としてのインクジェット記録装置の概略構成図である。本例の記録装置は、いわゆるフルラインタイプの商業用印刷機を構成する記録装置である。この記録装置は、インク等の液体を吐出する液体吐出ヘッド（記録ヘッド）１１として、記録媒体（媒体）１３の記録領域の幅方向の全域に渡って延在する長尺な液体吐出ヘッド（ラインヘッド）を用いる。本例の場合は、イエローインクを吐出用の液体吐出ヘッド１１Ｙ，マゼンタインク吐出用の液体吐出ヘッド１１Ｍ，シアンインク吐出用の液体吐出ヘッド１１Ｃ，およびブラックインク吐出用の液体吐出ヘッド１１Ｂｋのそれぞれが液体吐出ヘッド１１として備えられている。記録媒体１３は、搬送ベルトや搬送ローラなどを用いた搬送機構２０によって矢印Ｙ方向に搬送される。液体吐出ヘッド１１には、インクを吐出可能なノズルが複数形成されており、これらのノズルは、矢印Ｙの搬送方向と交差（本例の場合は、直交）する方向に延在するノズル列を形成するように配列されている。ノズルは、電気熱変換素子（ヒータ）やピエゾ素子などの吐出エネルギー発生素子を用いて、インクを吐出する構成となっている。電気熱変換素子を用いた場合には、その発熱によってインクを発泡させ、その発泡エネルギーを利用して、ノズル先端の吐出口からインクを吐出することができる。
【００１１】
画像を記録する際には、記録媒体１３を矢印Ｙ方向に連続的に搬送させつつ、液体吐出ヘッド１１からインクを吐出する。液体吐出ヘッド１１と記録媒体１３は相対移動できればよく、記録媒体１３に対して液体吐出ヘッド１１を移動させるようにしてもよい。
【００１２】
それぞれの液体吐出ヘッド１１に対しては、図２（ａ），（ｂ）のように、搬送方向（矢印Ｙ方向）の下流側に位置する気体の吹出し吸込み機構１４が備えられている。機構１４は、空気や種々のガスを含む気体の吹出し部１５に連通する吹出し孔７と、空気や種々のガスを含む気体の吸込み部１６に連通する吸込み孔８と、を含む。吹出し孔７は、吹出し部１５から供給される気体を記録媒体１３上に向かって吹き出し、吸込み孔８は、吸込み部１６の吸引力によって、記録媒体１３上の気体を吸込む。液体吐出ヘッド１１、吹出し孔７、および吸込み孔８は、搬送方向（矢印Ｙ方向）に沿って、その順序で並ぶように位置している。つまり、記録媒体１３と液体吐出ヘッド１１の相対移動の方向に関して、液体吐出ヘッド１１、吹出し孔７、および吸込み孔８は、この順に配されている。このように、液体吐出ヘッド１１と共に記録媒体１３と相対移動する吸込み機構１４が用意される。図３において、記録媒体１３の搬送方向（矢印Ｙ方向）と交差（本例の場合は、直交）する方向における吹出し孔７および吸込み孔８の幅をｍ１とし、その搬送方向と交差（本例の場合は、直交）する方向におけるノズル列の幅（記録幅）をｍ２とする。これらの幅ｍ１，ｍ２の関係は、ｍ１＞ｍ２であることが望ましい。また、本例の液体吐出ヘッド１１は、複数のノズル列が形成された複数のヘッドチップ１１ａを千鳥状に配列した構成となっている。それらのノズル列は、異なるインクを吐出するものであってもよく、同じインクを吐出するものであってもよい。
【００１３】
図４は、液体吐出ヘッド１１と記録媒体１３の相対移動によって生じる気流と、液体吐出ヘッド１１のノズル位置Ｐ１からのインク滴１９（主滴）の吐出に伴って生じるインクミスト１２と、の関係の説明図である。
【００１４】
液体吐出ヘッド１１からのインク滴１９の吐出に伴って生じるインクミスト（以下、単に「ミスト」ともいう）１２は、液体吐出ヘッド１１と記録媒体１３の相対移動によって生じる気流によって、図４（ａ）のように、矢印Ｙの搬送方向の下流側に流される。図４（ｂ）のように、気体の吹出し吸込み機構１４の吹出し孔７から気体を吹出した場合、ミスト１２は、吹出し孔７から吹出される気体の気流によって、記録媒体１３の表面近くにまで流される。吹出し孔７から吹出す気体の流量を設定することにより、ミスト１２の大部分を記録媒体１３に付着させることができる。ただし、ミスト１２の一部は、矢印Ｙの搬送方向の下流側へ流出するおそれがある。
【００１５】
液体吐出ヘッド１１からのインク滴１９の吐出が終了してから、液体吐出ヘッド１１と記録媒体１３の相対移動がなくなった場合には、それらの液体吐出ヘッド１１と記録媒体１３との間に気流が生じない。そのため、図４（ｃ）のように、それまでの記録動作により生じたミスト１２の一部は、吹出し孔７から吹出される気体の気流によって記録媒体１３に付着するものの、その大部分は周囲に飛散してしまう。図４（ｄ）のように、吸込み孔８から、液体吐出ヘッド１１と記録媒体１３との間の空気を吸込むことによって、ミスト１２の回収が可能となる。しかし、液体吐出ヘッド１１のノズル位置Ｐ１から吐出されるインク滴１９に、吹出し孔７からの空気の吸込み力が作用して、そのインク滴の吐出方向がずれて画像の記録品位の劣化を招くおそれがある。また、吸込み孔８からの空気の吸込み量が少ない場合には、ミスト１２が矢印Ｙの搬送方向の下流側へ流れるおそれがある。
【００１６】
本実施形態においては、このような図４（ａ）から（ｄ）のミスト１２と気流との関係を考慮して、図４（ｅ）のように、液体吐出ヘッド１１、吹出し孔７、および吸込み孔８を配置する。すなわち、矢印Ｙの搬送方向の上流側から下流側に向かって、液体吐出ヘッド１１におけるノズル先端の吐出口、吹出し孔７、および吸込み孔８が順次位置する。これにより、液体吐出ヘッド１１における吐出口の位置Ｐ１からのインク滴１９の吐出に伴って生じるインクミスト１２は、吹出し孔７から吹出される気体によって記録媒体１３に向かって流される。そして、そのインクミスト１２は、記録媒体１３に対して垂直方向から見て、液体吐出ヘッド１１と記録媒体１３の相対移動の方向に関して、記録媒体１３の液体吐出ヘッド１１と吸込み孔８との間の領域に付着する。吹出し孔７から吹出される気体は、吸込み孔８からの気体の吸込みにより、図４（ｅ）のように記録媒体１３に向かう安定した気流を形成する。記録状態の変化、例えば、記録開始時、記録終了時、記録濃度の急激に変化等によって、液体吐出ヘッド１１と記録媒体１３との間の気流が変動する場合においても、ミスト１２を記録媒体１３の表面に安定して付着させることができる。つまり、吹出し孔７からの気体の吹出しと、吸込み孔８からの気体の吸込みと、の組み合わせにより、記録媒体１３に向かう気流を安定的に形成して、ミスト１２を記録媒体１３の表面に付着させることができる。
【００１７】
ミスト１２の回収効率は、気体の吹出し孔７と吸込み孔８との間隔Ｌ（図５参照）、吹出し孔７からの気体の単位時間当たりの吹出し量、および吸込み孔８からの気体の単位時間当たりの吸込み量に応じて変化する。間隔Ｌ、吹出し孔７からの気体の吹出し量、および吸込み孔８からの気体の吸込み量などをパラメータとして、ミスト１２の回収の変化をシミュレーションした。その結果、安定してミスト１２を記録媒体１３に付着させることが可能な間隔Ｌと、気体の吹出し吸込み機構１４と記録媒体１３との間の距離ｈと、の関係が分かった。そのシミュレーションにおいては、距離ｈを１．０ｍｍ、幅ｍ１，ｍ２（図３参照）をいずれも０．５ｍｍ、記録媒体１３の搬送速度を０．６３５ｍ／ｓとした。本例の場合、距離ｈは、液体吐出ヘッド１１と記録媒体１３との間の距離と同じである。その距離ｈは、液体吐出ヘッド１１と記録媒体１３との間の距離よりも短くてもよく、あるいは長くてもよい。
【００１８】
吹出し孔７からの気体の吹出しと、吸込み孔８からの気体の吸込みが同時に行われるため、図５のように、吹出し孔７と吸込み孔８との間に安定した気流が生じる。このような状態において、効率的にミスト１２を回収するための条件として、以下の（１），（２）の２点を見出した。
（１）吹出し孔７と吸込み孔８との間の距離Ｌは、下式（１）のように、液体吐出ヘッド１１と記録媒体１３との間の距離ｈとほぼ等しいこと。  
Ｌ≒ｈ  ・・・  式（１）
（２）吹出し孔７からの単位時間当たりの気体の吹出し量ｑ１は、下式（２）のように、吸込み孔８からの気体の単位時間当たりの吸込み量ｑ２以上である。  
ｑ１≧ｑ２  ・・・  式（２）
【００１９】
上式（１）は、吹出し孔７、吸込み孔８、および記録媒体１３の間に生じる気流の安定性を考慮することにより導かれる。すなわち、吹出し孔７と吸込み孔８との間に生じる気流の安定性は、その気流が生じる空間のアスペクト比に大きく依存する。本例において、ミスト１２を記録媒体１３に付着させる気流が生じる空間のアスペクト比は、Ｌ／ｈにより定義することができる。一般的に、アスペクト比が大きくなる程、気流は不安定化となるため、ミスト１２の回収が困難となる。本例においては、アスペクト比が１程度のときに気流がもっとも安定する。上式（１）が成立することは、シミュレーションにより確認できた。
【００２０】
上式（２）は、気体の吸込み量ｑ２が吹出し量ｑ１よりも多い場合には、吹出し孔７から吹出された気体による気流の一部もしくは全てが記録媒体１３まで到達しないことを意味する。吹出し孔７から吹出された気体による気流が記録媒体１３まで到達しない場合には、ミスト１２を効率よく記録媒体１３へ付着させることができない。本例の場合、吹出し孔７からの気体の吹出し速度が２〜５ｍ／秒程度のときに、上式（２）が成立することが確認できた。吹出し孔７からの気体の吹出し速度は、５ｍ／秒以下とすることができる。
【００２１】
（第２の実施形態）
吹出し孔７における開口部の近傍部分の傾き方向および傾きの角度と、吸込み孔８における開口部の近傍部分の傾きの方向および傾きの角度は、図６（ａ）から（ｄ）のように、様々に設定することができる。すなわち、吐出口が形成される液体吐出ヘッド１１の吐出口形成面と平行な気体の吹出し吸込み機構１４の面に対して、吹出し孔７からの気体の吹出し方向、および吸込み孔８からの気体の吸込み方向を様々な角度に設定することができる。さらに、吹出し孔７からの気体の吹出し速度と、吸込み孔８からの気体の吸込み速度と、は同一である必要はなく、上式（２）の条件を満たすことが好ましい。また、吹出し孔７と吸込み孔８との間の部分は平面である必要はなく、その部分は凹状または凸状であってもよい。より確実にミスト１２を回収するために、上式（１），（２）が成立する範囲内においては、気体の吹出しと吸込みを行うことが望ましい。
【００２２】
（第３の実施形態）
本実施形態においては、図７（ａ），（ｂ）のように、気体の吹出し吸込み機構１４と対向する記録媒体１３の下側（裏面側）に、電極１８を設置した。上述したように、吹出し孔７からの気体の吹出しと、吸込み孔８からの気体の吸込みと、により、ミスト１２の大部分を記録媒体１３に付着させることができる。しかし、吹出し量ｑ１、吸込み量ｑ２、距離Ｌ（図５参照）、および距離ｈ（図５参照）などの条件によっては、ミスト１２が矢印Ｙの搬送方向の下流側へ流出するおそれがある。図７（ａ），（ｂ）のように、吹出し吸込み機構１４と対向する記録媒体１３の裏面側に電極１８を設置することにより、そのようなミスト１２の流出を抑制することができる。
【００２３】
通常、ミスト１２は負に帯電しているため、図７（ａ）のように１つの電極１８を備える場合には、それを正の電極とすることが好ましい。しかし、ミスト１２の一部には正に帯電しているものも存在するため、図７（ｂ）のように、正負両方の電極１８，１８を設置することが望ましい。図７（ｂ）において、２つの電極１８，１８の一方が正電極であり、他方が負電極であり、これらは矢印Ｙの搬送方向にずれて設置されている。その搬送方向の上流側と下流側の２つの電極１８，１８は、どちらが正の電極であっても負の電極であってもよい。本例の場合、搬送方向における電極１８の幅Ｗは０．５ｍｍである。本例のようなフルラインタイプの記録装置の場合、記録媒体１３の幅方向（図７中紙面の表裏方向）における電極１８の長さは、記録媒体１３の幅と同程度の長さである。
【００２４】
吹出し孔７と吸込み孔８がなく、かつ液体吐出ヘッド１１と記録媒体１３との間の距離が１．０ｍｍの場合、ミスト１２の全てを記録媒体１３に付着させるために必要な電極１８の電圧は、シミュレーションしたところ９０〜１００Ｖ程度であった。吹出し孔７から気体を吹出して、吸込み孔８から気体を吸込んだ場合には、電極１８の電圧が４Ｖ以下でもミスト１２の大部分を記録媒体１３に付着させることができる。より好ましくは、電極１８の電圧４０Ｖ以下にすることにより、ミスト１２のほぼ全てを記録媒体１３に付着させることができる。図７（ｂ）のような正負の２つの電極１８，１８に印加する電圧は、＋４０Ｖと−４０Ｖとの間の範囲とすることができ、また＋４Ｖと−４Ｖとの間の範囲であってもよい。
【００２５】
このように、気体の吹出しと気体の吸込みに加えて、記録媒体１３の裏面側に低電圧が印加される電極１８を設置することにより、より確実にミスト１２を記録媒体１３に付着させることができる。本例のようなフルラインタイプの記録装置においては、図７（ａ），図７（ｂ）のように、吹出し孔７と吸込み孔８との間に電極１８を設置することが好ましい。
【００２６】
本発明は、液体吐出ヘッドが主走査方向に移動しつつインクを吐出する動作と、主走査方向と交差する副走査方向に記録媒体を搬送する動作と、を繰り返して画像を記録するシリアルスキャンタイプの記録装置に対しても適用可能である。この場合、液体吐出ヘッドは、記録媒体に対して図７（ａ），（ｂ）中左方の主走査方向に移動しつつ、インクを吐出することになる。また電極１８は、液体吐出ヘッドの主走査方向に沿って延在するように記録媒体の裏面側に設置し、その長さは、液体吐出ヘッドの主走査方向における記録領域の長さと同程度とする必要がある。シリアルスキャンタイプの記録装置において、液体吐出ヘッドが記録媒体に対して図７（ａ），（ｂ）中左方の主走査方向に移動する場合には、液体吐出ヘッドを基準としたときに記録媒体の移動方向は矢印Ｙ方向とになる。
【００２７】
（第４の実施形態）
本実施形態においては、図８（ａ），図８（ｂ）のように、１つの液体吐出ヘッド１１内に、複数のノズル列Ｌ（本例の場合は、６つのノズル列Ｌ１からＬ６）と、それらのノズル列Ｌ毎に対応する気体の吹出し孔７と吸込み孔８が形成されている。これらのノズル列Ｌ、吹出し孔７、および吸込み孔８は、１つのヘッドチップに形成してもよい。それぞれのノズル列Ｌは、異なるインクを吐出するものであってもよく、同じインクを吐出するものであってもよい。ノズル列Ｌには、インクを吐出可能な複数のノズルが配列されており、それらのノズルは、電気熱変換素子（ヒータ）やピエゾ素子などの吐出エネルギー発生素子を用いて、ノズル先端の吐出口４からインクを吐出する構成となっている。本例の場合は、図８（ｂ）のように、吐出エネルギー発生素子として電気熱変換素子１が用いられている。その電気熱変換素子１の発熱によって、供給路５から供給室６を通して発泡室１７内に供給されたインクを発泡させることにより、その発泡エネルギーを利用して吐出口４からインクを吐出することができる。液体吐出ヘッド１１は、電気熱変換素子１が形成される素子基板２と、供給室６および発泡室１７が形成されるオリフィス基板３と、供給路５が形成される支持部材１０と、を含む。
【００２８】
本例の液体吐出ヘッド１１をフルラインタイプの記録装置に適用した場合には、液体吐出ヘッド１１に対して記録媒体が矢印Ｙ方向に搬送される。また、本例の液体吐出ヘッド１１をシリアルスキャンタイプの記録装置に適用した場合には、液体吐出ヘッド１１が図８（ａ），図８（ｂ）中左方に向かう主走査方向に移動しつつ、インクを吐出することになる。このように液体吐出ヘッド１１が主走査方向に移動する場合にも、液体吐出ヘッド１１を基準としたときに記録媒体が相対的に矢印Ｙ方向に移動することになる。
【００２９】
（第５の実施形態）
図９（ａ），（ｂ）および図１０（ａ），（ｂ）は、吹出し孔７および吸込み孔８に接続される吹き出し部１５および吸込み部１６（図２（ｂ）参照）の異なる構成例の説明図である。
【００３０】
フルラインタイプの記録装置において、長尺な液体吐出ヘッド１１を記録媒体の搬送方向（矢印Ｙ方向）に複数配置して記録を行う場合には、図９（ａ）のように、それぞれの液体吐出ヘッド１１に対して吹出し吸込み機構１４が配備される。本例の液体吐出ヘッド１１には、ノズルを形成するヘッドチップ１１ａが図３のように千鳥状に配列されている。図９（ａ）においては、吹出し孔７に対して吹出しポンプ２１とフィルター２２が備えられており、吹出しポンプ２１によって、フィルター２２を通して導入した外部の空気（気体）が吹出し孔７から吹出される。また、吸込み孔８に対してはフィルター２３と吸引ポンプ２４が備えられており、吸引ポンプ２４によって、フィルター２３を通して吸込み孔８から吸込んだ空気（気体）が外部に排出される。
【００３１】
図９（ｂ）においては、１つの吸引ポンプ３２によって、吸込み孔８から吸込んだ空気をフィルター３１を通して吹出し孔７から吹出される。この場合、吹出し孔７からの空気の単位時間当たりの吹出し量と、吸込み孔８からの空気の単位時間当たりの吸込み量と、は同じとなる。
【００３２】
図９（ｃ）においては、液体吐出ヘッド１１が記録媒体の搬送方向（矢印Ｙ方向）に複数配列され、それらの液体吐出ヘッド１１毎に吹出し吸込み機構１４が配備されている。そして、それらの機構１４毎に、図９（ａ）と同様の吹出しポンプ２１，フィルター２２，吸引ポンプ２４，およびフィルター２３が備えられている。図１０（ａ）においては、複数の吹出し吸い込み機構１４における吹出し孔７に対して、共通の吹出しポンプ４１とフィルター４２が備えられ、複数の吹出し吸い込み機構１４における吸込み孔８に対して、共通の吸引ポンプ４４とフィルター４３が備えられている。
【００３３】
図１０（ｂ）においては、記録媒体の単位領域に対するインクの付与量に対応する記録デューティーに応じて、制御装置４５が図１０（ａ）における吹出しポンプ４１と吸引ポンプ４４を制御する。記録デューティーが高い場合、つまり単位記録領域に対するインクの付与量が多い場合には、吹出し孔７からの空気の吹出し量、および吸込み孔８からの空気の吸込み量を多くするように吹出しポンプ４１と吸引ポンプ４４を制御することができる。一方、記録デューティーが低い場合、つまり単位記録領域に対するインクの付与量が少ない場合には、吹出し孔７からの空気の吹出し量、および吸込み孔８からの空気の吸込み量を少なくするように吹出しポンプ４１と吸引ポンプ４４を制御することができる。また、図７（ａ），（ｂ）のように電極１８を備えた場合、制御装置４５は、電極１８に印加する電圧を記録デューティーに応じて制御することができる。この場合には、記録デューティーが高い場合には電極１８に印加する電圧を高くし、記録デューティーが低い場合には電極１８に印加する電圧を低くすることができる。
【００３４】
また、前述したようにミストの大部分が記録媒体上に付着して、吸込み孔８から吸込まれる空気中に含まれるミストの量が少ないため、図９（ａ），（ｂ），（ｃ）および図１０（ａ），（ｂ）におけるフィルターとして簡便なものを用いることができる。また、それらのフィルターは汚れが少ないため、長期に渡ってメンテナンスが不要となり、さらにはミストを外部に排出するための装置も不要となり、記録装置全体の小型化を図ることが可能である。
【００３５】
（第６の実施形態）
本実施形態においては、図１１のように、吹出し孔７からの気体の吹出、および吸込み孔８からの気体の吸込みのために、誘電体と交流電圧源を含むプラズマアクチュエータを用いる。吹出し孔７に備わる誘電体５１を挟む電極５２，５３に交流電源５４から交流電圧を掛けることにより、吹出し孔７から吹き出る気流が生じる。また、吸込み孔８に備わる誘電体５５を挟む電極５６，５７に交流電源５８から交流電圧を掛けることにより、吸込み孔８に吸込まれる気流が生じる。このようなプラズマアクチュエータを用いることにより、狭いスペースにおいても気流を生じることができ、ポンプ等の大きな機械装置が不要となり、記録装置全体の小型化を図ることが可能となる。
【００３６】
（他の実施形態）
本発明は、液体を吐出可能な液体吐出ヘッドを用いて、種々の媒体（シートなどを含む）に対して、種々の処理（記録、加工、塗布、照射、読取、検査など）を施す液体吐出装置（インクジェット装置）に対しても適用可能である。その媒体（記録媒体を含む）は、紙、プラスチック、フィルム、織物、金属、フレキシブル基板等、材質は問わず、インクを含む液体が付与される種々の媒体を含む。
【図１】
2015193219.tif 000003
【図２】
2015193219.tif 000004
【図３】
2015193219.tif 000005
【図４】
2015193219.tif 000006
【図５】
2015193219.tif 000007
【図６】
2015193219.tif 000008
【図７】
2015193219.tif 000009
【図８】
2015193219.tif 000010
【図９】
2015193219.tif 000011
【図１０】
2015193219.tif 000012
【図１１】
2015193219.tif 000013